(57)【特許請求の範囲】
【請求項１】
カラオケ演奏端末において歌唱採点を行う際に、利用者の所望に応じて利用者毎に設定された採点基準を用いて歌唱採点を行うことが可能なカラオケ採点システムであって、
採点基準管理手段と、利用者管理手段と、利用者別採点条件設定手段と、時間的要素判定手段と、採点基準採用手段と、歌唱採点手段と、を備え、
前記採点基準管理手段は、それぞれ異なる複数の採点基準を、採点基準管理テーブルにて管理し、
前記利用者管理手段は、前記カラオケ演奏端末を利用する利用者を特定して、利用者管理テーブルにて管理し、
前記利用者別採点条件設定手段は、前記特定された任意の利用者が前記複数の採点基準の中から選択した採点基準と、当該利用者が任意に設定した時間的要素とを紐付けして、利用者別採点条件設定テーブルを作成し、
前記時間的要素判定手段は、前記利用者別採点条件設定テーブルを参照して、任意の利用者が歌唱する際に、当該歌唱タイミングが当該利用者により設定された時間的要素に含まれるか否かを判定し、
前記採点基準採用手段は、前記歌唱タイミングが前記利用者により設定された時間的要素に含まれている場合には、前記利用者が選択した利用者別採点基準を採用し、前記歌唱タイミングが前記利用者により設定された時間的要素に含まれていない場合には、予め設定されたデフォルトの採点基準を採用し、
前記歌唱採点手段は、前記特定された利用者が歌唱する楽曲について歌唱採点を行う際に、前記採用された採点基準に従って採点を行う
ことを特徴とするカラオケ採点システム。
【発明の詳細な説明】
【技術分野】
【０００１】
本発明は、カラオケ採点システムに関するものであり、特に、歌唱者の所望に応じて設定された、時間的要素を含む採点基準を用いて歌唱採点可能としたカラオケ採点システムに関するものである。
【背景技術】
【０００２】
現在普及しているカラオケ演奏装置には歌唱採点機能を有しているものがあり、マイクロホンから入力された歌唱音声と、予め楽曲毎に設定されたリファレンスとを比較して、音程の正確性、発声タイミング、音量の加減等について、歌唱の巧拙を採点することができるようになっている。
【０００３】
例えば、特許文献１には、採点機能付きのカラオケ演奏装置に関する技術が開示されている。特許文献１に記載された技術は、歌唱音声の周波数を採点して基本得点を算出するとともに、歌唱のビブラート、抑揚、声質、タイミング、しゃくりなど他の歌唱要素を採点して付加ポイントを算出する。そして、基本得点に付加ポイントを加算して最終得点を求めるようにしたものである。
【０００４】
また、特許文献２には、異なる評価の得点を複数種類表示することが可能なカラオケ演奏装置に関する技術が開示されている。この特許文献２に記載された技術は、歌唱者の歌唱音声が入力されると、歌唱採点機能が働き、歌唱の音高、音量、リズムを点数化する。そして、それぞれ異なる複数の採点基準（歌唱の音高、音量、リズムに対する重み付けが異なる採点基準）に基づいて、歌唱採点機能における採点値を加重平均し、複数の採点結果を導き出すことにより、音程（周波数）重視、リズム重視等のように視点の異なった複数の採点結果を得るようにしたものである。
【先行技術文献】
【特許文献】
【０００５】
【特許文献１】特開２００５−１０７３３７号公報
【特許文献２】特開平１０−１６１６７３号公報
【発明の概要】
【発明が解決しようとする課題】
【０００６】
ところで、歌唱者の立場に立った場合に、一律に規定された採点基準によって採点するのではなく、歌唱者にとって特別な日や、曜日あるいは時間帯などで、気分を盛り上げるために、甘めな採点として欲しい場合がある。例えば、利用者の誕生日や結婚記念日、あるいは週末や夜の時間帯等、種々の時間的要素に応じて採点基準を変更することができれば、カラオケ演奏装置を用いた歌唱の楽しさを広げることができる。
【０００７】
また、歌唱力アップに対して真剣に取り組んでいる歌唱者にとっては、例えば、曜日毎に採点基準が変更される設定とすることにより、様々な観点から歌唱力を客観的に評価することができる。さらに、月毎に採点レベルの難易度が高くなるような設定とすることにより、月を経ることに伴う歌唱回数の増加に応じて、歌唱力の向上を判定することができるとともに、歌唱者のチャレンジ精神を喚起することができる。
【０００８】
しかし、従来のカラオケ演奏装置における歌唱採点では、月日、曜日、時間等の時間的要素に応じて採点基準を変更することはできないため、カラオケ演奏装置を用いた歌唱の楽しさを広げるためのさらなる工夫が望まれていた。
【０００９】
本発明は、上述した事情に鑑み提案されたもので、利用者の所望に応じて設定された時間的要素を含む利用者別採点基準を用いて、歌唱採点を行うことが可能なカラオケ採点システムを提供することを目的とする。
【課題を解決するための手段】
【００１０】
本発明のカラオケ採点システムは、上述した目的を達成するため、以下の特徴点を有している。すなわち、本発明のカラオケ採点システムは、カラオケ演奏端末において歌唱採点を行う際に、利用者の所望に応じて利用者毎に設定された採点基準を用いて歌唱採点を行うことが可能なカラオケ採点システムであって、採点基準管理手段と、利用者管理手段と、利用者別採点条件設定手段と、時間的要素判定手段と、採点基準採用手段と、歌唱採点手段と、を備えたことを特徴としている。
【００１１】
ここで、採点基準管理手段は、それぞれ異なる複数の採点基準を、採点基準管理テーブルにて管理するための手段である。利用者管理手段は、カラオケ演奏端末を利用する利用者を特定して、利用者管理テーブルにて管理するための手段である。利用者別採点条件設定手段は、特定された任意の利用者が複数の採点基準の中から選択した採点基準と、当該利用者が任意に設定した時間的要素とを紐付けして、利用者別採点条件設定テーブルを作成するための手段である。時間的要素判定手段は、利用者別採点条件設定テーブルを参照して、任意の利用者が歌唱する際に、当該歌唱タイミングが当該利用者により設定された時間的要素に含まれるか否かを判定するための手段である。採点基準採用手段は、歌唱タイミングが利用者により設定された時間的要素に含まれている場合には、利用者が選択した利用者別採点基準を採用し、歌唱タイミングが利用者により設定された時間的要素に含まれていない場合には、予め設定されたデフォルトの採点基準を採用するための手段である。歌唱採点手段は、特定された利用者が歌唱する楽曲について歌唱採点を行う際に、当該利用者のものとして採用された採点基準に従って採点を行うための手段である。
【００１２】
このような構成からなるカラオケ採点システムでは、採点基準管理手段により、予め、採点レベルや、歌唱技法の質についての重み付けがそれぞれ異なる複数の採点基準を、採点基準管理テーブルを用いて管理する。なお、採点レベルとは、発声タイミングや音程の一致に関する許容範囲の広狭を相違させて難易度を設定した基準のことであり、歌唱技法の質とは、ビブラート、しゃくり、ロングトーン等のことである。また、利用者管理手段により、ＩＤ媒体等から取得された利用者ＩＤに基づき利用者を特定し、利用者管理テーブルを作成して管理する。
【００１３】
また、利用者別採点条件設定手段により、利用者が所望する利用者別採点基準を設定する。すなわち、採点基準管理テーブルを参照し、利用者の所望に応じて、月日、曜日、時間帯等といった時間的要素を含んだ採点基準を選択し、当該利用者の採点基準として設定する。設定された採点基準は、利用者別採点条件設定テーブルにて管理される。
【００１４】
そして、任意の利用者が歌唱を行う際に、時間的要素判定手段により、利用者別採点条件設定テーブルを参照して、当該歌唱を行うタイミングが、当該利用者により設定された月日、曜日、時間帯等といった時間的要素に含まれるか否かを判定する。この判定結果に基づいて、歌唱採点手段で用いる採点基準が設定される。すなわち、採点基準採用手段により、歌唱タイミングが当該歌唱を行う利用者により設定された時間的要素に含まれている場合には、当該利用者が選択した利用者別採点基準を採用する。一方、歌唱タイミングが当該歌唱を行う利用者により設定された時間的要素に含まれていない場合には、予め設定されたデフォルトの採点基準を採用する。
【００１５】
そして、歌唱採点手段により、特定された利用者が歌唱する楽曲について歌唱採点を行う際に、採用された採点基準に従って採点が行われる。採用される採点基準は、上述したように、利用者別採点基準又はデフォルトの採点基準のいずれかである。
【発明の効果】
【００１６】
本発明のカラオケ採点システムでは、利用者の所望に応じて設定された時間的要素を含む利用者別採点基準を用いて、歌唱採点を行うことができる。例えば、利用者の誕生日や結婚記念日、あるいは週末や夜の時間帯等、自らの気分を盛り上げるために高得点を得たいと欲している場合には、容易に高得点を得られるような採点基準を設定する。また、日々の練習により歌唱力の向上を目指す場合には、日を追う毎に厳しくなる採点基準を設定する等、利用者の所望に応じた採点基準を用いて歌唱採点を行うことにより、カラオケ演奏装置を用いた歌唱の楽しさを十分に味わうことが可能となる。
【図面の簡単な説明】
【００１７】
【図１】本発明の実施形態に係るカラオケ採点システムを含むカラオケシステムの概略構成を示すブロック図。
【図２】本発明の実施形態に係るカラオケ採点システムを適用するカラオケ演奏端末の概略構成を示すブロック図。
【図３】顧客データベースの構成を示す説明図。
【図４】採点基準管理テーブルの構成を示す説明図。
【図５】利用者別採点条件設定テーブルの構成を示す説明図。
【図６】本発明の実施形態に係るカラオケ採点システムにおける歌唱採点のフローチャート。
【図７】本発明の実施形態に係るカラオケ採点システムにおける選曲画面の模式図。
【発明を実施するための形態】
【００１８】
＜基本構成＞
以下、図面を参照して、本発明のカラオケ採点システムの実施形態について説明する。図１は本発明の実施形態に係るカラオケ採点システムを含むカラオケシステムの概略構成を示すブロック図、図２は本発明の実施形態に係るカラオケ採点システムを適用するカラオケ演奏端末の概略構成を示すブロック図である。また、図３は顧客データベースの構成を示す説明図、図４は採点基準管理テーブルの構成を示す説明図、図５は利用者別採点条件設定テーブルの構成を示す説明図である。
【００１９】
本発明の実施形態に係るカラオケ採点システムを含むカラオケシステムは、図１に示すように、通信ネットワーク１２を介して相互に接続されたホスト装置１１と複数のカラオケ演奏端末１０と、を備えている。通信ネットワーク１２は、公衆電話回線、専用電話回線、光通信回線、ＬＡＮ等を用いることができるが、ネットワークに対する第三者の侵入やデータの傍聴及び改竄が困難であるとともに、帯域を独占せずに安価な通信網であるという点で、インターネットにより構成されるＶＰＮを利用することが好ましい。
【００２０】
＜ホスト装置＞
ホスト装置１１は、図１に示すように、制御手段５１、データ処理手段５２、顧客データベース５３、利用者別採点条件設定テーブル５４、送受信部５５を備えている。
【００２１】
＜制御手段／送受信部＞
制御手段５１は、ホスト装置１１を統括的に制御するための手段であり、ＣＰＵ及びその周辺機器を含んで構成され、ＣＰＵ等がＲＯＭ等に格納されたアプリケーションプログラムに従って動作することにより制御機能を発揮するようになっている。送受信部５５は、各カラオケ演奏端末１０との間でデータの送受信を行うための手段であり、通信ネットワーク１２における通信方式の整合性を保つための通信回路やソフトウェアにより構成される。
【００２２】
＜データ処理手段／顧客データベース＞
データ処理手段５２は、顧客データベース５３及び利用者別採点条件設定テーブル５４にアクセスして、データの抽出、変更、追加を処理するためのプログラムからなる。顧客データベース５３は、利用者毎に利用者情報が登録されたデータベースである。この顧客データベース５３は、図３に示すように、利用者毎に、利用者ＩＤ、氏名、セカンドネーム（例えば愛称）、住所、電話番号、年齢（または生年月日）、性別、職業等が関連付けて構成されている。なお、顧客データベース５３に含まれるデータは、図３に示すものに限られず、顧客としての登録年数、カラオケシステムの利用頻度等を含ませてもよい。
【００２３】
＜利用者別採点条件設定テーブル＞
利用者別採点条件設定テーブル５４は、各カラオケ演奏端末１０が備える利用者別採点条件設定手段３９の機能により作成されるデータテーブルであり、図５に示すように、利用者ＩＤと、当該利用者のものとして設定された時間的要素を含む利用者別採点基準とを紐付けしたデータ構造を有している。なお、顧客データベース５３を構成する顧客データ及び利用者別採点条件設定テーブル５４を構成する利用者別採点基準設定データは、ホスト装置１１とカラオケ演奏端末１０とが通信ネットワーク１２を介して通信を行うことにより送受信される。利用者別採点条件設定手段３９については、後に詳述する。
【００２４】
図５に示す例では、曜日毎及び指定日毎に採点基準を設定することができるようになっている。すなわち、特定の曜日毎にそれぞれ採点基準が設定されるとともに、特定の指定日に対しても採点基準が設定されている。この場合、特定の指定日に紐付けられた採点基準が優先して採用される。なお、他の時間的要素としては、時間、日、週、月、年等の他に、誕生日、結婚記念日等、どのような時間的要素を採用してもよい。また、採点基準の優先順位についても、適宜変更して設定することができる。
【００２５】
＜カラオケ演奏端末＞
本発明の実施形態に係るカラオケ演奏端末１０は、図２に示すように、カラオケ本体２１、カラオケリモコン装置２２、スピーカ２３、ミキシングアンプ２４、マイクロホン２５、ディスプレイ装置２６を備えている。
【００２６】
＜カラオケ本体＞
カラオケ本体２１は、中央制御手段３１、ＲＯＭ３２、ＲＡＭ３３、ＨＤＤ３４、ネットワーク送受信手段３５、ローカル送受信手段３６、採点基準管理手段３７、利用者管理手段３８、利用者別採点条件設定手段３９、時間的要素判定手段４０、採点基準採用手段４１、歌唱採点手段４２、予約管理手段４３、音楽再生制御手段４４、Ａ／Ｄコンバータ４５、映像再生制御手段４６を備えている。
【００２７】
＜中央制御手段＞
中央制御手段３１は、カラオケ本体２１を総合的に制御するための手段であり、例えばＣＰＵ及びその周辺機器により構成されており、ＣＰＵ等がＲＯＭ３２等に記憶されたプログラムに従って動作することにより、制御機能を発揮することができるようになっている。
【００２８】
＜ＲＯＭ／ＲＡＭ＞
ＲＯＭ３２は、カラオケ本体２１を構成する各機器を制御するためのプログラムデータや数値データを記憶するための機器で、例えば半導体メモリ等で構成される。また、ＲＡＭ３３は、プログラムや各種データを一時的に記憶する一時記憶領域として機能するもので、例えば半導体メモリ等で構成される。なお、物理的な半導体メモリによりＲＡＭ３３を構成するのではなく、ハードディスク記憶装置等を用いて仮想的なＲＡＭ３３を構成してもよい。本実施形態では、ＲＡＭ３３に、予約待ち行列３３ａ、利用者管理テーブル３３ｂ、利用者別採点条件データ３３ｃが記憶されるようになっている。
【００２９】
予約待ち行列３３ａは、予約管理手段４３により管理されるデータであり、この予約待ち行列３３ａに従って予約楽曲の演奏が行われる。利用者管理テーブル３３ｂは、利用者管理手段３８により管理されるデータテーブルであり、選曲予約や歌唱採点を行う際に利用される。利用者別採点条件データ３３ｃは、カラオケ演奏端末１０にログインしている利用者に関して、ホスト装置１１の利用者別採点条件設定テーブル５４から取得したデータであり、歌唱採点を行う際に利用される。なお、ゲストＩＤでログインした利用者の場合には、当該ゲスト利用者について、一時的な利用者別採点条件データ３３ｃが設定される。
【００３０】
＜ＨＤＤ＞
ＨＤＤ３４は、大容量記憶装置として機能するもので、楽曲データベース３４ａ、映像データベース３４ｂ、採点基準管理テーブル３４ｃが格納されている。なお、ＨＤＤ３４に替えて、あるいはＨＤＤ３４とともに、データを書き替え可能なＤＶＤ等の大容量記憶装置を用いてもよい。
【００３１】
楽曲データベース３４ａは、演奏データ（ＭＩＤＩ（登録商標）データ）及び歌詞描出データが同期されて構成される楽曲データについて、楽曲ＩＤと対応付けてそれぞれ格納したデータベースである。演奏データは各楽曲の演奏データをデジタル化したものであり、歌詞描出データは演奏に同期した歌詞文字の表示タイミングデータ及び色変わりデータを含んでいる。映像データベース３４ｂは、演奏されるカラオケ楽曲に対応した背景映像を、当該カラオケ楽曲の楽曲ＩＤに対応させた映像ファイルとして所定数格納したデータベースである。
【００３２】
＜送受信手段＞
ネットワーク送受信手段３５は、ホスト装置１１とカラオケ本体２１との間で、データの送受信を行うための電子回路及びプログラムからなる。また、ローカル送受信手段３６は、カラオケ本体２１とカラオケリモコン装置２２との間で、データの送受信を行うための電子回路及びプログラムからなる。本実施形態では、赤外線通信により、カラオケ本体２１とカラオケリモコン装置２２との間でデータの送受信が行われる。
【００３３】
＜採点基準管理手段＞
採点基準管理手段３７は、それぞれ異なる複数の採点基準を、採点基準管理テーブル３４ｃにて管理するためのプログラムからなる。すなわち、難易度がそれぞれ異なる採点レベルと、ビブラート、しゃくり、ロングトーン等の歌唱技法の質に対する重み付けとがそれぞれ異なる複数の採点基準を予め用意し、この採点基準に対応する採点基準管理テーブル３４ｃを作成して、採点基準管理手段３７により管理する。採点レベルの難易度は、例えば、発声タイミングや音程の一致に関する許容範囲の広狭で設定することができる。なお、採点レベルの段階数や、重み付け対象となる歌唱技法の質については、上述したものに限られず、カラオケシステムの利用者構成等に合わせて、適宜変更して設定することができる。
【００３４】
＜採点基準管理テーブル＞
採点基準管理テーブル３４ｃは、図４に示すように、採点ＩＤと、採点レベルデータと、重み付け対象項目データと、採点対象となる属性データとを紐付けして構築されている。上述したように、採点レベルの段階数や、重み付け対象となる歌唱技法の質については、他の基準を用いてもよい。この際、図４に示すように、採点ＩＤ毎にそれぞれ異なる採点審査員のキャラクタを設定しておき、このキャラクタ設定に基づき、選曲画面（図７参照）に採点審査員のキャラクタを表示するようにしてもよい。
【００３５】
また、採点基準管理テーブル３４ｃは、楽曲毎、あるいは所定のカテゴリに応じて分類された楽曲のジャンル毎に設定することが可能である。この場合には、図４に示すようなデータテーブルが、楽曲毎に作成され、あるいはジャンル毎に作成される。なお、楽曲のジャンルとは、演歌、Ｊ−ＰＯＰ、アニメソング、応援歌、韓国曲、中国曲、フォークソング等のように、楽曲を特徴付けるカテゴリのことである。
【００３６】
＜利用者管理手段＞
利用者管理手段３８は、カラオケ演奏端末１０を利用する利用者を特定して、利用者管理テーブル３３ｂにて管理するためのプログラムからなる。すなわち、利用者管理手段３８では、カードリーダ２２ｃにより利用者ＩＤが取得された場合に、この利用者ＩＤに基づいて利用者を特定し、利用者管理テーブル３３ｂを作成して管理する。取得した利用者ＩＤは、選曲予約や歌唱採点を行う際に利用される。
【００３７】
＜利用者別採点条件設定手段＞
利用者別採点条件設定手段３９は、特定された任意の利用者が複数の採点基準の中から選択した採点基準と、当該利用者が任意に設定した時間的要素とを紐付けして、利用者別採点条件設定テーブル５４を作成するためのプログラムからなる。すなわち、利用者ＩＤに基づいて特定された利用者が、カラオケリモコン装置２２に設けられた入出力インターフェースを用いて、予め採点基準管理テーブル３４ｃにて管理されている複数の採点基準の中から所望の採点基準を選択し、月日、曜日、時間等の時間的要素に紐付けして入力すると、利用者別採点条件設定手段３９の機能により、利用者別採点条件設定テーブル５４が作成されてホスト装置１１に格納される。
【００３８】
なお、顧客データベース５３に登録されていない利用者については、仮の利用者ＩＤを発行するとともに、この利用者ＩＤに紐付けして、利用者別採点基準を入力するような構成としてもよい。
【００３９】
＜時間的要素判定手段＞
時間的要素判定手段４０は、利用者別採点条件設定テーブル５４を参照して、任意の利用者が歌唱する際に、当該歌唱タイミングが当該利用者により設定された時間的要素に含まれるか否かを判定するためのプログラムからなる。すなわち、任意の利用者による歌唱タイミングが当該利用者により設定された時間的要素に含まれているか否かにより、どのような採点基準を用いて歌唱採点を行うかが異なるため、歌唱タイミングと時間的要素との比較を行い、その判定結果に基づき、採点基準採用手段４１において歌唱採点手段４２で使用する採点基準が決定される。
【００４０】
＜採点基準採用手段＞
採点基準採用手段４１は、時間的要素判定手段４０における判定結果に基づいて、任意の利用者による歌唱タイミングが当該利用者により設定された時間的要素に含まれている場合には、当該利用者が選択した利用者別採点基準を採用し、当該利用者の歌唱タイミングが当該利用者により設定された時間的要素に含まれていない場合には、予め設定されたデフォルトの採点基準を採用するためのプログラムからなる。なお、デフォルトの採点基準としては、どのような採点基準を採用してもよいが、例えば、採点レベルの難易度が中程度の「３」で、歌唱技法についての重み付けが行われていない採点基準をデフォルト設定とすることができる。
【００４１】
例えば、利用者ＩＤ「＊＊＊＊１１」が付された利用者の利用者別採点条件設定テーブル５４として図５に示すものが構築されており、当該利用者が月曜日に歌唱を行う場合には、時間的要素判定手段４０において、当該利用者の歌唱タイミングが当該利用者により設定された時間的要素に含まれていると判断され、月曜日に対応した採点ＩＤ「＊＊＊Ａ」の採点基準が採用される。採点基準の採用については、後に詳述する。
【００４２】
＜予約管理手段＞
予約管理手段４３は、利用者により楽曲検索手段２２ａの機能を用いて選曲され、ローカル送受信手段３６を介して受信した楽曲ＩＤを、選曲順に演奏予約待ち行列３３ａとしてＲＡＭ３３に格納し、管理するためのプログラムからなる。
【００４３】
＜歌唱採点手段＞
歌唱採点手段４２は、特定された利用者が歌唱する楽曲について歌唱採点を行う際に、当該利用者のものとして採用された採点基準に従って採点を行うためのプログラムからなる。すなわち、特定された利用者が歌唱する楽曲について歌唱採点を行う際に、採用された採点基準に従って、当該利用者の歌唱音声と楽曲について予め設定されたリファレンスとを比較し、所定の歌唱区間毎、あるいは音符毎に採点を行う。歌唱採点では、例えば、マイクロホン２５により入力された歌唱者の音声信号から、音程、声量、テンポ等の歌唱評価データを抽出するとともに、この歌唱評価データと演奏楽曲の主旋律等のリファレンス情報とを比較して採点を行う。このような歌唱採点方法については、特開２００７−１２１９１７号公報等に詳細に記載されている。
【００４４】
＜音楽再生制御手段＞
音楽再生制御手段４４は、楽曲ＩＤに基づいて楽曲データベース３４ａから抽出された演奏データをデジタル再生するとともにアナログ変換してミキシングアンプ２４に出力するための電子回路である。ミキシングアンプ２４は、マイクロホン２５から入力された歌唱者の歌唱音声信号と、音楽再生制御手段４４から送出される演奏音声信号とをミキシングするとともに、アンプ機能により増幅してスピーカ２３より出力させるための装置である。また、マイクロホン２５からの音声入力信号は、Ａ／Ｄコンバータ４５によりデジタル変換され、歌唱採点手段４２における採点に使用される。
【００４５】
＜映像再生制御手段＞
映像再生制御手段４６は、カラオケ楽曲の演奏中に、映像データベース３４ｂから抽出した映像データ及び楽曲データベース３４ａから抽出した楽曲データのうちの歌詞テロップデータ（歌詞文字データ）を、当該カラオケ楽曲の演奏データに同期させてディスプレイ装置２６に出力するための電子回路である。
【００４６】
＜ディスプレイ装置＞
ディスプレイ装置２６は、カラオケ演奏時の映像、歌詞テロップ等を表示するための装置で、例えば、液晶ディスプレイ等により構成される。
【００４７】
＜カラオケリモコン装置＞
カラオケリモコン装置２２は、ユーザインタフェース機能を備えており、カラオケ本体２１のローカル送受信手段３６に対して有線方式又は無線方式によりデータの送受信を行うようになっている。このカラオケリモコン装置２２は、楽曲検索手段２２ａとして機能するプログラム、楽曲索引データベース２２ｂ、カードリーダ２２ｃとして機能するプログラム及び機器、データの送受信を行うための電子回路及びプログラム、フラッシュメモリ等からなる記憶手段（図示せず）を備えている。
【００４８】
＜楽曲検索手段／楽曲索引データベース＞
楽曲検索手段２２ａは、利用者の指示に基づき、楽曲索引データベース２２ｂを参照して楽曲を検索するためのプログラムからなる。楽曲索引データベース２２ｂは、カラオケ演奏端末１０で演奏に供されるカラオケ楽曲についての属性情報を記述したデータベースであり、例えば、楽曲番号・曲名・歌手名・歌い出し部分の歌詞・流行時期・音楽ジャンル区分・デュエット曲か否かなど、種々の属性情報がこれに含まれている。
【００４９】
＜カードリーダ＞
カードリーダ２２ｃは、任意の利用者がカラオケ演奏端末１０を利用する際に、当該利用者の利用者ＩＤを取得するための電子回路及びプログラムからなる。本実施形態では、利用者がカラオケ演奏端末１０を利用する際に、利用者が所持するＩＤ媒体２７から利用者ＩＤを取得するようになっている。カードリーダ２２ｃで取得した利用者ＩＤは、ＲＡＭ３３において利用者管理テーブル３３ｂとして記憶され、利用者管理手段３８にて管理される。ＩＤ媒体２７は、例えば非接触型の、ＩＤカード、携帯電話、携帯情報端末等からなり、利用者ＩＤを記憶して、カードリーダ２２ｃとの間でデータの送受信を行うことができるようになっている。
【００５０】
＜時間的要素を含む採点基準による歌唱採点＞
図６は、本発明の実施形態に係るカラオケ採点システムにおける歌唱採点のフローチャートである。図７は、本発明の実施形態に係るカラオケ採点システムにおける選曲画面の模式図である。
【００５１】
本発明の実施形態に係るカラオケ採点システムにおける歌唱採点では、図６に示すように、まず初めに、利用者ＩＤを取得して利用者を特定し（Ｓ１）、当該利用者が選択した採点基準と時間的要素とを利用者ＩＤに紐付けして、利用者別採点条件設定テーブル５４を作成する（Ｓ２）。続いて、利用者ＩＤが取得された利用者の歌唱か否かを判断し（Ｓ３）、利用者ＩＤが取得された利用者の歌唱である場合には、当該利用者の利用者別採点条件設定テーブル５４を参照する（Ｓ４）。
【００５２】
続いて、現時点が当該利用者により設定された時間的要素に含まれるか否かを判断し（Ｓ５）、現時点が当該利用者により設定された時間的要素に含まれる場合には、当該利用者が選択した採点基準を採用する（Ｓ６）。一方、現時点が当該利用者により設定された時間的要素に含まれない場合には、デフォルトの採点基準を採用する（Ｓ７）。そして、採用された採点基準に従い歌唱採点を行う（Ｓ８）。
【００５３】
具体的には、図７に示すように、月曜日に利用者ａがカラオケシステムにログインすると、利用者ａの利用者ＩＤ「＊＊＊＊１１」が特定される。そして、利用者ａが歌唱を行う際に、利用者ａの利用者ＩＤ「＊＊＊＊１１」に基づいて利用者別採点条件設定テーブル５４を参照すると、月曜日の採点基準として採点ＩＤ「＊＊＊Ａ」が設定されているため、この採点ＩＤ「＊＊＊Ａ」の採点基準が採用されて、歌唱採点が行われる。この採点基準では、採点レベルの難易度が一番高い「１」で、ビブラート及びロングトーンに重み付けが行われている。このとき、選曲画面には、利用者ａについての採点基準が表示されるとともに、審査員として仮想されたキャラクタが表示される。
【００５４】
また、利用者ａが火曜日に歌唱を行う場合には、利用者ａの利用者ＩＤ「＊＊＊＊１１」に基づいて利用者別採点条件設定テーブル５４を参照すると、火曜日の採点基準は設定されていない。なお、この日は、利用者別採点条件設定テーブル５４で設定されている指定日にも該当しないものとする。この場合には、利用者ａにより設定された採点基準が存在しないので、デフォルトの採点基準が採用されて、歌唱採点が行われる。他の曜日や指定日についても同様にして、利用者ａの所望に応じて設定された採点基準が採用される。
【００５５】
＜他の実施形態＞
本発明のカラオケ採点システム及びその周辺装置を構成する機器や手段は上述したものに限定されず、その利用目的に応じて、必要な機器や手段のみの構成としたり、適宜他の機器や手段を付加したりすることができる。また、各手段をそれぞれ別個のものとして構成するのではなく、複数の機能を統合した手段として構成してもよい。
【００５６】
また、各カラオケ演奏端末１０の構成要素となっている手段であっても、ホスト装置１１において一括管理することができる手段等（例えば、採点基準管理手段３７、採点基準管理テーブル３４ｃ）については、ホスト装置１１の構成要素としてもよい。さらに、ホスト装置１１と複数のカラオケ演奏端末１０とをネットワーク接続し、ホスト装置１１において顧客情報及び利用者別採点基準データを管理する構成となっているが、カラオケ演奏装置をスタンドアロンで運用し、顧客情報及び利用者別採点基準データの管理は、各カラオケ演奏装置で行うような構成としてもよい。
【符号の説明】
【００５７】
１０  カラオケ演奏端末
１１  ホスト装置
１２  通信ネットワーク
２１  カラオケ本体
２２  カラオケリモコン装置
２２ａ  楽曲検索手段
２２ｂ  楽曲索引データベース
２２ｃ  カードリーダ
２３  スピーカ
２４  ミキシングアンプ
２５  マイクロホン
２６  ディスプレイ装置
２７  ＩＤ媒体
３１  中央制御手段
３２  ＲＯＭ
３３  ＲＡＭ
３３ａ  予約待ち行列
３３ｂ  利用者管理テーブル
３３ｃ  利用者別採点条件データ
３４  ＨＤＤ
３４ａ  楽曲データベース
３４ｂ  映像データベース
３４ｃ  採点基準管理テーブル
３５  ネットワーク送受信手段
３６  ローカル送受信手段
３７  採点基準管理手段
３８  利用者管理手段
３９  利用者別採点条件設定手段
４０  時間的要素判定手段
４１  採点基準採用手段
４２  歌唱採点手段
４３  予約管理手段
４４  音楽再生制御手段
４５  Ａ／Ｄコンバータ
４６  映像再生制御手段
５１  制御手段
５２  データ処理手段
５３  顧客データベース
５４  利用者別採点条件設定テーブル
５５  送受信部
【図１】
0005457791.tif 000002
【図２】
0005457791.tif 000003
【図３】
0005457791.tif 000004
【図４】
0005457791.tif 000005
【図５】
0005457791.tif 000006
【図６】
0005457791.tif 000007
【図７】
0005457791.tif 000008